(57)【特許請求の範囲】
【請求項１】
胴部（ＢＯ）に巻かれる帯（Ｂ）にその幅方向から挿着して、その帯（Ｂ）を巻き込み位置に留める帯留め具であって、
帯留め本体（１）と、この帯留め本体（１）に固定される中間支持板（１０）とよりなり、
前記帯留め本体（１）は、基板（２）と、この基板（２）の一端より折返し部（４）を介して一体に形成される帯押さえ板（３）とよりなり、前記中間支持板（１０）は、前記基板（２）と前記帯押さえ板（３）との間にあって、その中間支持板（１０）の一面と基板（２）の内面との間に、帯（Ｂ）を挟んで留める帯留め挟持面（２０）が形成され、また、その中間支持板（１０）の他面と帯押さえ板（３）の内面との間に、帯（Ｂ）を挟んでスライド可能に挟持するスライド挟持面（２１）が形成されることを特徴とする、帯留め具。
【請求項２】
前記帯留め挟持面（２０）は、前記基板（２）の内面と、前記中間支持板（１０）の一面の何れか一方に、それらの長手方向に沿って形成される少なくとも一条の凸条（５）と、それらの他方に、前記凸条（５）と対向して形成される少なくとも一条の凹条（１５）とを備えていることを特徴とする、前記請求項１記載の帯留め具。
【請求項３】
前記基板（２）は、帯押さえ板（３）および中間支持板（１０）よりも長く形成されて、基板（２）の自由端に帯（Ｂ）の挿着案内面（２ａ）を形成したことを特徴とする、前記請求項１または２記載の帯留め具。
【請求項４】
前記折返し部（４）は、前記基板（２）と前記帯押さえ板（３）とを相互に接近する方向に弾発付勢していることを特徴とする、前記請求項１，２または３記載の帯留め具。
【請求項５】
前記帯留め本体（１）には、模様（７）などの装飾が施されることを特徴とする、前記請求項１、２、３または４記載の帯留め具。
【発明の詳細な説明】
【技術分野】
【０００１】
本発明は、身体の胴部に周回状に巻き付けられる帯を留めるための帯留め具に関する。
【背景技術】
【０００２】
従来、和服、浴衣などの着物を着る場合には、その着用者は、着物の着用後、帯を身体の胴部に周回状に巻き付けて、その帯の自由端同士を手で結ぶか、あるいは、帯締め（たとえば、後記特許文献１参照）を用いて留めるなどして、着物を身体に装着するようにしている。
【先行技術文献】
【特許文献】
【０００３】
【特許文献１】特開２００９−１２０９７０号公報
【発明の概要】
【発明が解決しようとする課題】
【０００４】
ところが、帯を手で結ぶには、その操作が面倒で時間がかかり、結び方によっては着崩れすることがあるばかりでなく締め付け具合を調整するのが厄介で煩わしさがあり、その上、帯の結び目の体裁を整えるのが難しいなどの不具合があり、また、前記特許文献１のものは、身体に周回状に巻き付けた帯自体を留めることができないばかりでなく、帯の留め操作や、その締め付け加減の調整が面倒であるなどの不具合がある。
【０００５】
本発明は、かかる事情に鑑みてなされたものであり、身体に周回状に巻き付けた帯を、そのままの状態で簡単容易に留めることができ、しかも帯の締付加減を簡単に調整できるようにした、新規な帯留め具を提供することを目的としている。
【課題を解決するための手段】
【０００６】
上記目的を達成するため、請求項１の発明は、胴部に巻かれる帯にその幅方向から挿着して、その帯を巻き込み位置に留める帯留め具であって、
帯留め本体と、この帯留め本体に固定される中間支持板とよりなり、前記帯留め本体は、基板と、この基板の一端より折返し部を介して一体に形成される帯押さえ板とよりなり、前記中間支持板は、前記基板と前記帯押さえ板との間にあって、その中間支持板の一面と基板の内面との間に、帯を挟んで留める帯留め挟持面が形成され、また、その中間支持板の他面と帯押さえ板の内面との間に、帯を挟んでスライド可能に挟持するスライド挟持面が形成されることを特徴としている。
【０００７】
上記目的を達成するため、請求項２の発明は、前記請求項１記載のものにおいて、前記帯留め挟持面は、前記基板の内面と、前記中間支持板の一面の何れか一方に、それらの長手方向に沿って形成される少なくとも一条の凸条と、それらの他方に、前記凸条と対向して形成される少なくとも一条の凹条とを備えていることを特徴としている。
【０００８】
上記目的を達成するため、請求項３の発明は、前記請求項１または２記載のものにおいて、前記基板は、帯押さえ板および中間支持板よりも長く形成されて、基板の自由端に帯の挿着案内面を形成したことを特徴としている。
【０００９】
上記目的を達成するため、請求項４の発明は、前記請求項１，２または３記載のものにおいて、前記折返し部は、前記基板と前記帯押さえ板とを相互に接近する方向に弾発付勢していることを特徴としている。
【００１０】
上記目的達成のため、請求項５の発明は、前記請求項１、２、３または４記載のものにおいて、前記帯留め本体には、模様などの装飾が施されることを特徴としている。
【発明の効果】
【００１１】
各請求項の発明によれば、帯止め具を帯にその幅方向から挿着することにより、身体に周回状に巻き付けた帯を、そのままの状態で簡単容易に留めることができ、しかも帯の締付加減を簡単に調整できる。
【００１２】
また、請求項２の発明によれば、帯留め具の帯留め挟持面は、基板の内面と、中間支持板の一面の何れか一方に、それらの長手方向に沿って形成される少なくとも一条の凸条と、それらの他方に、前記凸条と対向して形成される少なくとも一条の凹条とを備えているので、帯留め具は、帯への幅方向からの挿入が容易で、かつその長手方向への留めを確実なものとすることができる。
【００１３】
さらに、請求項３の発明によれば、帯留め具の基板は、帯押さえ板および中間支持板よりも長くしてその自由端に帯の挿着案内面を形成したので、帯留め具の帯への挿入がし易い。
【００１４】
さらに、請求項４の発明によれば、帯留め具の折返し部は、前記基板と前記帯押さえ板とを相互に接近する方向に弾発付勢しているので、帯留め挟持面と帯留め具およびスライド挟持面と帯止具との間に隙間ができることがない。
【００１５】
さらにまた、請求項５の発明によれば、帯留め本体には、模様などの装飾が施されるので、帯留め具の商品価値を高めることができる。
【図面の簡単な説明】
【００１６】
【図１】帯留め具の使用状態を示す図
【図２】（Ａ）は帯留め具を表側から見た斜視図、（Ｂ）は帯留め具を裏側から見た斜視図
【図３】図２の３矢視の帯留め具の一部破断正面図
【図４】（Ａ）は図３の４（Ａ）−４（Ａ）線に沿う断面図、（Ｂ）は図３の４（Ｂ）−４（Ｂ）線に沿う断面図
【図５】図１の５−５線に沿う拡大断面図
【図６】帯留め具を帯にセットする手順を示す図
【図７】帯留め具をセットした帯を身体の胴部に巻き付ける手順を示す図
【発明を実施するための形態】
【００１７】
本発明の実施の形態を、添付図面に例示した本発明の実施例に基づいて以下に具体的に説明する。
【００１８】
本発明にかかる帯留め具Ｓは、図１に示すように身体の胴部Ｂ０に巻き付けた帯Ｂを、留めるために使用するものであって、まず、図２〜４を参照して、この帯留め具Ｓの構造について説明する。
【００１９】
帯留め具Ｓは、ステンレス板などの金属板により形成される帯留め本体１と、これと同材により形成されて、帯留め本体１の中間位置に固定される中間支持板１０とより構成される。
【００２０】
前記帯留め本体１は、細長い板材の中間部をループ状に折り曲げて構成されており、平坦な基板２と、ループ状の折返し部４を介して、その基板２の内面に重ね合わされる平坦な帯押さえ板３とよりなる。そして、この折返し部４は、基板２と帯押さえ板３とを相互に接近する方向に弾発付勢する。基板２は、帯押さえ板３よりも長く形成され、その自由端は、帯押さえ板３の自由端よりも外方に延長されて、この帯留め具Ｓを帯Ｂに挿着するときの挿着案内面２ａを形成している。また、帯押さえ板３の自由端部は、基板２から離れる方向に傾斜する傾斜面３ａに形成されていて、帯Ｂの、スライド挟持面２１（後述）への挿入をし易くしている。さらに、基板２および帯押さえ板３の端縁は、半円状に形成される。
【００２１】
帯留め本体１の、基板２と帯押さえ板３との間には、それらと同形状の中間支持板１０が介装される。図４に示すように、この中間支持板１０は、帯留め本体１と同一の金属板により形成され、その基端は、帯留め本体１の折返し部４の内面に溶接により固定１１されている。そして、この中間支持板１０の一方の面は、基板２の内面に、また、その他方の面は、帯押さえ板３の内面にそれぞれ対面している。
【００２２】
図４に示すように、基板２の内面には、その長手方向に沿って数条（３条）の凸条５が互いに平行に形成され、一方、中間支持板１０の一方の面には、前記凸状５に対面するように、数条（３条）の凹条１５が形成されており、これらの凸、凹条５，１５は、協働して帯Ｂの帯留め挟持面２０を構成しており、この帯留め挟持面２０は、基板２の内面と中間支持板１０の一方の面との間に挿入される帯Ｂを、その巻き方向、すなわち長手方向に移動しないように留めて挟持するようにされる。
【００２３】
また、中間支持板１０の他方の面と、帯押さえ板３との内面は互いに対向して、それらの面は協働して帯Ｂのスライド挟持面２１を構成しており、このスライド挟持面２１は、中間支持板１０の他方の面と、帯押さえ板３の内面間に挿入される帯Ｂを、その長手方向のスライド可能に挟持する。
【００２４】
図４に示すように、中間支持板１０は、前記基板２よりも短く、帯押さえ板３よりも長く形成されて、その自由端部は、基板２から離れる方向に傾斜する傾斜面１０ａを形成して、帯Ｂの、前記帯留め挟持面２０への挿入をし易くしている。
【００２５】
つぎに、図６を参照して、前述のように構成される帯留め具Ｓを、帯Ｂにセットする手順について説明する。
【００２６】
(1) 図６（イ）に示すように、帯Ｂの一端部を、模様のある表面と反対側に二つ折りにする。
【００２７】
(2) 図６（ロ）に示すように、帯留め具Ｓの表側を帯Ｂの表側に合わせて、帯Ｂの二つ折り部分Ｂａを、帯Ｂの幅方向から帯留め具Ｓの帯留め挟持面２０間（基板２の内面と中間支持板１０の一面との間）に挿入する。これにより、帯Ｂの二つ折り部分Ｂａには、凸条５と凹条１５が食い込んで、帯留め具Ｓは、帯Ｂの二つ折り部分Ｂａに、帯Ｂの長手方向に移動しないように留められる。
【００２８】
(3) 図６（ハ）に示すように、帯留め具Ｓを芯にして、帯Ｂを、その表面（模様のある面）を内側にして巻いていく。
【００２９】
つぎに、図７を参照して、帯留め具Ｓをセットした帯Ｂを、身体の胴部ＢＯに巻きつけて留める手順について説明する。
【００３０】
(4) 図７（イ）に示すように、巻かれた帯Ｂの自由端を引き出して二つ折りにして巻き始め部分Ｂｂとし、この巻き始め部分Ｂｂに指を掛けながら、その巻き始め部分Ｂｂを胴部ＢＯに移動しないようにあてがう。
【００３１】
(5) 図７（ロ）に示すように、帯Ｂを、胴部ＢＯの周りに巻きつけていく。この場合、帯Ｂを、その全長が巻き終わるまで、重ねて周回状に胴部ＢＯに巻きつける。
【００３２】
図７（ハ）に示すように、帯Ｂを巻き終わると、帯留め具Ｓのスライド挟持面２１間（中間支持板１０と帯押さえ板３間）を、巻かれている帯Ｂの最外側に、その幅方向から挿入する。これにより、帯留め具Ｓは、胴部ＢＯに巻かれている帯Ｂの最外側にスライド可能に支持される。その後、帯Ｂの巻き始め部分Ｂｂを移動しないように、指先で押さえながら、帯Ｂの端部（二つ折り部分Ｂａ）を帯留め具Ｓと共の胴部ＢＯ周りに移動させて、帯留め具Ｓの位置および帯Ｂの締め込み具合を調節する。この場合、帯留め具Ｓのスライド挟持面２１は、巻かれている帯Ｂの最外側に沿って自由にスライド可能であるので、帯Ｂの巻き始め部分Ｂｂを指先で押さえながら、帯留め具Ｓを帯Ｂの端部（二つ折り部分Ｂａ）と共に、胴部ＢＯ周りに締め付け方向〔図７（ハ）矢印ａ方向〕、あるいは緩み方向〔図７（ハ）矢印ｂ方向〕に移動させることにより、帯Ｂの締め付け力を簡単に調節することができる。
【００３３】
また、帯留め具Ｓの帯留め挟持面２０は、基板２の内面と、中間支持板１０の一面の何れか一方に、それらの長手方向に沿って形成される少なくとも一条の凸条５と、それらの他方に、その凸条５と対向する少なくとも一条の凹条１５とを備えているので、帯留め具Ｓは、帯Ｂへの幅方向からの挿入が容易で、かつその長手方向への留めを確実なものとすることができる。
【００３４】
また、帯留め具Ｓの基板２は、帯押さえ板３および中間支持板１０よりも長くしてその自由端に帯Ｂの挿着案内面２ａを形成したので、帯留め具Ｓの帯Ｂへの挿入がし易い。
【００３５】
さらに、帯留め具Ｓの折返し部４は、基板２と帯押さえ板３とを相互に接近する方向に弾発付勢しているので、帯留め挟持面２０と帯留め具Ｓおよびスライド挟持面２１と帯留め具Ｓとの間に隙間ができることがない。
【００３６】
さらにまた、帯留め本体１には、図３に鎖線で示すように、模様７などの装飾を施すことにより、帯留め具Ｓの商品価値を高めることができる。
【００３７】
以上、本発明の実施例について説明したが、本発明はこの実施例に限定されることなく、本発明の範囲内で種々の実施例が可能である。
【００３８】
たとえば、前記実施例では、帯留め具を、着用した着物を留める帯の留め具に適用した場合について説明したが、これを腹帯、健康帯、コルセットなどの身体に周回状に巻きつける他の帯にも適用することができる。また、前記実施例では、帯留め具を金属板により形成しているが、これを、合成樹脂板など他の素材により形成してもよい。さらに、前記実施例では、帯留め挟持面には、凸条と凹条とが設けられるが、これに代えて、帯を留めることができる他の同効物、たとえば、帯留め挟持面に弾発バネを設けてもよい。さらに、前記実施例では、凸条および凹条はそれぞれ３条ずつ形成されるが、それらは、１、２条あるいは４条以上であってもよい。また、前記実施例では、基板に凸条を、中間支持板に凹条を形成しているが、基板に凹条を、中間支持板に凸条を形成してもよい。
【符号の説明】
【００３９】
１・・・・帯留め本体
２・・・・基板
２ａ・・・挿着案内面
３・・・・帯押さえ板
４・・・・折返し部
５・・・・凸状
７・・・・模様
１０・・・・中間支持板
１５・・・・凹条
２０・・・・帯留め挟持面
２１・・・・スライド挟持面
Ｂ・・・・帯
ＢＯ・・・・胴部
【図１】
0005210402.tif 000002
【図２】
0005210402.tif 000003
【図３】
0005210402.tif 000004
【図４】
0005210402.tif 000005
【図５】
0005210402.tif 000006
【図６】
0005210402.tif 000007
【図７】
0005210402.tif 000008